(57)【要約】      （修正有）【課題】車両運転時の振動によってシートベルトが接触している部分の着衣の破損や汗による汚損を解決できる着衣破損汚損防止構造を提供する。【解決手段】取り外しが可能で、身長の高低、体格の大小に対応出来るよう上下に移動可能な布製カバーをシートベルトの身体と接触する肩部、胸部、腹部の３ヶ所に面ファスナーを用いて取り付ける。【選択図】図４
0003184861.tif 000002
【実用新案登録請求の範囲】
【請求項１】
車両設置のシートベルトの硬質性から走行振動で乗車者の着衣が破損され汗による着衣が汚損され接触部位に布製補助品図４を当てるシートベルト着衣破損汚損防止カバー
【考案の詳細な説明】
【技術分野】
【０００１】  本考案は、シートベルトから着衣破損防止に関する。
【背景技術】
【０００２】  車両運転時の振動と人の汗によってシートベルトが着衣を破損汚損するのを防止するカバーである。
【考案の概要】
【考案が解決しようとする課題】
【０００３】  車両運転時の振動によってシートベルトが肩部、胸部、腹部に接触している為着衣が破損しまた汗による着衣の汚損を解決しようとするものである。
【課題が解決するための手段】
【０００４】  本考案は、シートベルトが走行中振動により肩部、胸部、腹部の着衣との接触部の破損を防止するのと夏季等の汗がシートベルトに付着し着衣との接触部分が着衣を汚損していることから、布地製取り外しの可能なカバーをシートベルに取り付け着衣の破損汚損を防ぐのである。取り外し可能とするのは、シートベルトは不使用の際は巻取り収納型となっており本件の破損汚損防止カバーが固定式であればシートベルト収納に不具合が生じまたシートベルでの男女とも着衣の破損汚損が気にならない人の場合の運行時には使用しないからである。
【考案の効果】
【０００５】  現行の各車両に取付けられているシートベルトは硬い材質のベルトであり、車両走行時の振動によってシートベルトが肩部、胸部、腹部に接触している為着衣が破損しまた特に夏季等の際汗がシートベルトに付着しており、男性もしかりだが特に女性が着用する和着物、毛皮製、セーター類にシートベルトとの接触による毛玉や接触痕が生じ汗も付着することからシートベルトに布地製取り外しのカバーによりこれらが防止出来るのである。
【図面の簡単な説明】
【０００６】
【図１】  本考案に係るシートベルト取り付け着衣破損カバー肩部図である。
【図２】  本考案に係るシートベルト取り付け着衣破損カバー胸部図である。
【図３】  本考案に係るシートベルト取り付け着衣破損カバー腰部図である。
【図４】  本考案に係るシートベルト取り付け着衣破損カバー取付け図である。
【図５】  本考案に係るシートベルト取り付け着衣破損カバー分解図である。
【図６】  本考案に係るシートベルト取り付け着衣破損カバー断面図である
【符号の説明】
【０００７】  １  …  肩部取り付け部位
２  …  胸部取り付け部位
３  …  腰部取り付け部位
４  …  シートベルト巻き込みカバーの取り付け部
５  …  シートベルト
６  …  シートベルト巻き込みカバーの取り付け部
７  …  分解図でシートベルトカバー
８  …  分解図でシートベルト
９  …  断面図でシートベルトカバー
１０  …  断面図でシートベルト
【考案を実施するための形態】
【０００８】  図１図２図３はシートベルトに取り付ける着衣破損カバーの位置である。
図４は、シートベルトへの取り付けのカバーでありシートベルトには柔軟性の布製取り外し、更に身長の高低、体格の大小に対応出来るよう上下に移動可能なカバーとし身体と接触する肩部、胸部、腹部の３ヶ所のシートベルトに取り付ける。
その大きさは小生使用のベンツではシートベルトの幅は約４，７ｃｍ厚さ約１ｍｍであり車種によりシートベルトの幅に多少の違いが有ればそれに合致する大きさとする。
シートベルトに巻き込み型のカバーとしその取り付け接着は市販のマジックテープ（面ファスナー）を上下に取り付け接着するのである。
図５と６は断面図で７と９はシートベルトで９と１０はカバーである。
以下扱い方について説明する。車両運行時に振動により現行装填のシートベルトはは硬質であり着衣との接触により着衣を破損し、また猛暑等の際には汗がシートベルトに付着し接触部分が着衣を汚損するのでそれを防止する為にシートベルトにカバーを取り付け着衣破損汚損防止として使用する。シートベルトは現行は巻き込み収納型であり本件カバーは固定取り付け型ではシートベルトの巻き込みに不具合が生じるのと身長の高低、体格の大小からもカバーを大小（Ｌ・Ｍ・Ｓ）とし取り外し型とする。走行時にシートベルトを装填する際着衣の破損汚損を肩、胸、腹部にカバーを取り付け活用するのである。
【図１】
0003184861.tif 000003
【図２】
0003184861.tif 000004
【図３】
0003184861.tif 000005
【図４】
0003184861.tif 000006
【図５】
0003184861.tif 000007
【図６】
0003184861.tif 000008
【手続補正書】
【提出日】平成25年3月5日(2013.3.5)
【手続補正１】
【補正対象書類名】実用新案登録請求の範囲
【補正対象項目名】全文
【補正方法】変更
【補正の内容】
【実用新案登録請求の範囲】
【請求項１】
車両設置のシートベルトの硬質性から走行振動で乗車者の着衣が接触破損と、シートベルトに付着した汗による着衣汚損が生じることから肩、胸、腹部位の着衣とシートベルトとの接触部分にシートベルトに布製補助品を巻き付ける着衣破損汚損防止カバー
【手続補正２】
【補正対象書類名】明細書
【補正対象項目名】０００８
【補正方法】変更
【補正の内容】
【０００８】  図１図２図３はシートベルトに取り付ける着衣破損カバーの位置である。
図４は、シートベルトへの取り付けのカバーでありシートベルトには柔軟性の布製取り外し、更に身長の高低、体格の大小に対応出来るよう上下に移動可能なカバーとし身体と接触する肩部、胸部、腹部の３ヶ所のシートベルトに取り付ける。
その大きさは小生使用のベンツではシートベルトの幅は約４，７ｃｍ厚さ約１ｍｍであり車種によりシートベルトの幅に多少の違いが有ればそれに合致する大きさとする。
シートベルトに巻き込み型のカバーとしその取り付け接着は市販の面ファスナーを上下に取り付け接着するのである。
図５と６は断面図で７と９はシートベルトで９と１０はカバーである。
以下扱い方について説明する。車両運行時に振動により現行装填のシートベルトはは硬質であり着衣との接触により着衣を破損し、また猛暑等の際には汗がシートベルトに付着し接触部分が着衣を汚損するのでそれを防止する為にシートベルトにカバーを取り付け着衣破損汚損防止として使用する。シートベルトは現行は巻き込み収納型であり本件カバーは固定取り付け型ではシートベルトの巻き込みに不具合が生じるのと身長の高低、体格の大小からもカバーを大小（Ｌ・Ｍ・Ｓ）とし取り外し型とする。走行時にシートベルトを装填する際着衣の破損汚損を肩、胸、腹部にカバーを取り付け活用するのである。
【手続補正書】
【提出日】平成25年5月9日(2013.5.9)
【手続補正１】
【補正対象書類名】実用新案登録請求の範囲
【補正対象項目名】全文
【補正方法】変更
【補正の内容】
【実用新案登録請求の範囲】
【請求項１】
シートベルトと、
シートベルトと着衣との接触部分に巻き付けられる布製着衣破損汚損防止カバーとからなる着衣破損汚損防止構造。